(57)【要約】【課題】車両内で純正機器に加えて一つ又は複数の非純正機器を後付けする場合に、これらを集中制御することを可能とする車載機器の管理システムを提供する。【解決手段】車載機器の管理システム１に、ＣＤプレイヤー１５等と、非純正ビデオ機器３０ａ，３０ｂ等と、スピーカ７０と、純正マルチディスプレイ１４ｂと、ＣＤプレイヤー１５、非純正ビデオ機器３０ａ，３０ｂ等で生成された音声信号又は映像信号を選択してスピーカ７０や純正マルチディスプレイ１４ｂ等に出力させる純正側のセレクタ１７，１８、オーディオセレクタ６２及びビデオセレクタ６４，６９と、出力させる信号を切り替える切替入力部１９と、切替入力部１９による切替指示に基づいて、純正側のセレクタ１７，１８を切り替える純正側ＣＰＵ１４ｃと、オーディオセレクタ６２及びビデオセレクタ６４，６９を切り替える管理装置ＣＰＵ６１と、を備える。【選択図】図２
2008162423.tif 000002
【特許請求の範囲】
【請求項１】
出力信号を生成する一つ又は複数の信号生成部を有する純正機器と、
出力信号を生成する一つ又は複数の非純正機器と、
少なくとも前記純正機器の前記信号生成部及び前記非純正機器と互いに通信可能に接続された管理装置と、を備え、
前記純正機器は、
前記純正機器の前記信号生成部又は前記非純正機器のいずれかで生成された前記出力信号に基づく出力を行う信号出力部と、前記信号出力部に出力させる前記出力信号を切替え可能に構成され前記出力信号を前記信号出力部に出力可能な純正側セレクタと、前記信号出力部に出力させる前記出力信号を選択可能に構成された入力部と、前記入力部で選択された前記出力信号を出力させるように前記純正側セレクタの切り替え制御を行う純正側制御部と、を備え、
前記管理装置は、
前記純正機器の前記信号生成部又は前記非純正機器のいずれかで生成された出力信号を切替え可能に構成され前記出力信号を前記信号出力部に出力可能な管理側セレクタと、前記入力部で選択された前記出力信号を前記信号出力部に出力させるように前記管理側セレクタの切り替え制御を行う管理側制御部と、を備えていることを特徴とする車載機器の管理システム。
【請求項２】
前記出力信号に基づく出力が可能な外部の信号出力部をさらに設け、
前記純正側セレクタ及び前記管理側セレクタは、前記出力信号を前記外部の信号出力部に出力可能に構成されていることを特徴とする請求項１に記載の車載機器の管理システム。
【請求項３】
前記信号出力部に出力させる前記出力信号を選択可能に構成された外部の入力部をさらに設け、
前記純正側制御部及び前記管理側制御部は、前記外部の入力部で選択された前記出力信号を出力させるように前記純正側セレクタ及び前記管理側セレクタの切り替え制御可能に構成されていることを特徴とする請求項１又は請求項２に記載の車載機器の管理システム。
【請求項４】
前記純正機器の信号生成部は映像信号を生成するものであり、
前記非純正機器は映像信号を生成する非純正ビデオ機器であって、
前記信号出力部は前記映像信号に基づく映像を表示する表示手段であることを特徴とする請求項１から請求項３のいずれか一項に記載の車載機器の管理システム。
【請求項５】
前記純正機器の信号生成部は音声信号を生成するものであり、
前記非純正機器は音声信号を出力する非純正オーディオ機器であって、
前記信号出力部は前記音声信号に基づく音声を出力するスピーカであることを特徴とする請求項１から請求項４のいずれか一項記載の車載機器の管理システム。
【発明の詳細な説明】
【技術分野】
【０００１】
本発明は車載機器の管理システムに関する。
【背景技術】
【０００２】
従来から、車載機器として様々な種類のオーディオ機器が開発されている。特に昨今では、ディスプレイ付きオーディオ機器が車載機器の代表例として挙げられる。
【０００３】
このようなディスプレイ付きオーディオ機器として、図１５に示すように、純正ヘッドユニット１００ａ及び純正ディスプレイ１００ｂを備える純正ユニット１００、ナビゲーションコンピュータ１１０、エアコンディショニングコンピュータ１２０、その他コンピュータ１３０、アンプ１４０及びスピーカ１５０を備えて構成される純正オーディオ機器が知られている。図１５に示すオーディオ機器では、純正ユニット１００においてナビゲーションコンピュータ１１０、エアコンディショニングコンピュータ１２０及びその他コンピュータ１３０を管理する構成となっている。
【０００４】
また、近年では、車載用のオーディオ機器の純正ヘッドユニットを、市販の非純正ヘッドユニットに交換して使用するオーディオ機器が提案されている。
【０００５】
例えば、特許文献１には、オーディオ、テレビジョン、カーナビゲーション、空気調節制御、映像ディスプレイ及びスイッチパネル等の各種エレクトロニクス機器をＬＡＮケーブルで接続して車内ＬＡＮを構築し、各構成部分が一台のヘッドユニット及びディスプレイにおいて管理されるオーディオ機器であって、純正ヘッドユニットを市販の非純正ヘッドユニットと交換して使用するための車載用オーディオアダプターが設けられたオーディオ機器が記載されている。
【特許文献１】特開２００２−３２１５７３号公報
【発明の開示】
【発明が解決しようとする課題】
【０００６】
しかしながら、特許文献１に記載の発明は、純正オーディオ機器の純正ヘッドユニットに替えて市販の非純正ヘッドユニットを使用するものであり、純正ヘッドユニットでは制御することのできない一つ又は複数の非純正オーディオ機器を後付けした場合、純正オーディオ機器から出力された音声信号及び各非純正オーディオ機器から出力された音声信号を一括して管理することができないという問題があった。
【０００７】
また、純正オーディオ機器のディスプレイから非純正オーディオ機器に関する指示入力を行ったとしても、純正オーディオ機器のヘッドユニットからの制御信号では非純正オーディオ機器の動作を制御することができないため、一つのヘッドユニット及びディスプレイにおいて純正オーディオ機器及び各非純正オーディオ機器を集中制御することができないという問題があった。
【０００８】
本発明は前記事情に鑑みてなされたものであり、その目的とするところは、車両内で純正機器に加えて一つ又は複数の非純正機器を後付けする場合に、これらの純正機器及び各非純正機器の出力信号又は動作制御を集中管理することを可能とする車載機器の管理システムを提供することにある。
【課題を解決するための手段】
【０００９】
前記課題を解決するために、請求項１に記載の発明は、
出力信号を生成する一つ又は複数の信号生成部を有する純正機器と、
出力信号を生成する一つ又は複数の非純正機器と、
少なくとも前記純正機器の前記信号生成部及び前記非純正機器と互いに通信可能に接続された管理装置と、を備え、
前記純正機器は、
前記純正機器の前記信号生成部又は前記非純正機器のいずれかで生成された前記出力信号に基づく出力を行う信号出力部と、前記信号出力部に出力させる前記出力信号を切替え可能に構成され前記出力信号を前記信号出力部に出力可能な純正側セレクタと、前記信号出力部に出力させる前記出力信号を選択可能に構成された入力部と、前記入力部で選択された前記出力信号を出力させるように前記純正側セレクタの切り替え制御を行う純正側制御部と、を備え、
前記管理装置は、
前記純正機器の前記信号生成部又は前記非純正機器のいずれかで生成された出力信号を切替え可能に構成され前記出力信号を前記信号出力部に出力可能な管理側セレクタと、前記入力部で選択された前記出力信号を前記信号出力部に出力させるように前記管理側セレクタの切り替え制御を行う管理側制御部と、を備えていることを特徴とする。
【００１０】
請求項２記載の発明は、請求項１に記載の車載機器の管理システムであって、
前記出力信号に基づく出力が可能な外部の信号出力部をさらに設け、
前記純正側セレクタ及び前記管理側セレクタは、前記出力信号を前記外部の信号出力部に出力可能に構成されていることを特徴とする。
【００１１】
請求項３記載の発明は、請求項１又は請求項２に記載の車載機器の管理システムであって、
前記信号出力部に出力させる前記出力信号を選択可能に構成された外部の入力部をさらに設け、
前記純正側制御部及び前記管理側制御部は、前記外部の入力部で選択された前記出力信号を出力させるように前記純正側セレクタ及び前記管理側セレクタの切り替え制御可能に構成されていることを特徴とする。
【００１２】
請求項４記載の発明は、請求項１から請求項３のいずれか一項に記載の車載機器の管理システムであって、
前記純正機器の信号生成部は映像信号を生成するものであり、
前記非純正機器は映像信号を生成する非純正ビデオ機器であって、
前記信号出力部は前記映像信号に基づく映像を表示する表示手段であることを特徴とする。
【００１３】
請求項５記載の発明は、請求項１から請求項４のいずれか一項に記載の車載機器の管理システムであって、
前記非純正機器は音声信号を出力する非純正オーディオ機器であって、
前記信号出力部は前記音声信号に基づく音声を出力するスピーカであることを特徴とする。
【発明の効果】
【００１４】
本発明に係る車載機器の管理システムによれば、純正機器を備え、純正機器からの制御信号をそのまま入力するのみでは制御できない市販の非純正機器を後付けした車載機器の管理システムにおいて、純正機器に設けられた純正側セレクタと管理装置に設けられた管理側セレクタを設けることによって、純正機器の出力信号又は非純正機器の出力信号のいずれかを入力部において選択したときに、選択した音声信号を信号出力部から出力させることができ、純正機器及び非純正機器からの出力信号を一括管理することが可能となる。これにより、一つ又は複数の非純正機器を後付けする場合に、純正機器及び各非純正機器を一つの信号出力部で集中管理することが可能となる。
【発明を実施するための最良の形態】
【００１５】
［第１の実施の形態］
以下、図１から図７を参照しつつ、本発明に係る車載機器の管理システム１の第１の実施形態について説明する。
【００１６】
図１は、本実施形態に係る車載機器の管理システム１の全体構成を示すブロック図である。
【００１７】
図１に示すように、車載機器の管理システム１は、純正機器１０、非純正オーディオ機器２０ａ，２０ｂ、非純正ビデオ機器３０ａ，３０ｂ、リレー４０、その他の非純正機器５０、管理装置６０、信号出力部としての機能を果たすスピーカ７０及び表示器８０、リモートコントローラ（図１において「リモコン」とする。）９０を備えて構成されている。これらの各機器はネットワークを介して互いに通信可能となるように接続されており、車内ＬＡＮを構築している。
【００１８】
このように、車載機器の管理システム１は純正機器１０を備えているほか、純正機器１０からの制御信号をそのまま入力するのみでは制御できない市販の非純正オーディオ機器２０ａ，２０ｂ、非純正ビデオ機器３０ａ，３０ｂ及びその他の非純正機器５０が後付けされた構成となっている。
【００１９】
純正機器１０は、純正機器１０が搭載される車両と一体として構成される車載機器であり、ナビゲーションコンピュータ１１、エアコンディショニングコンピュータ（図１において「エアコンコンピュータ」、以下「エアコンコンピュータ」と称する。）１２、その他コンピュータ１３、純正ユニット１４、ＣＤプレイヤー１５（図３参照）、ラジオユニット１６（図３参照）、純正側ビデオセレクタ１７（図２参照）、純正側オーディオセレクタ１８（図３参照）及び切替入力部１９（図２及び図３参照）等を備えて構成されている。なお、純正機器１０の構成部はここに示したものに限定されない。
【００２０】
ナビゲーションコンピュータ１１は、ＮＡＶＳＴＡＲ（Navigation System using Timing And Ranging）等の人工衛星から送信されるＧＰＳ（Global Positioning System）信
号を受信して、純正機器１０の現在位置（ナビゲーションコンピュータ１１を搭載した車両等の現在位置）を演算によって検出するようになっている。
【００２１】
また、ナビゲーションコンピュータ１１は、検出した現在位置データと図示しないメモリに記憶された地図データとを対応させて、車両の現在位置を表示する映像信号を生成して出力するようになっている映像信号生成部である。
【００２２】
また、ナビゲーションコンピュータ１１は、図示しない音声合成部を備えており、この音声合成部によって車両の現在位置を案内する音声信号を生成して出力するようになっている音声信号生成部である。なお、この音声信号は車両の現在位置を表す映像と連動して出力させてもよく、音声信号のみを独立して出力させてもよい。
【００２３】
エアコンディショニングコンピュータ１２は、車内の空気を循環させつつ熱交換することによって、車内の冷房や暖房を行うようになっており、純正ユニット１４からの指示信号により、図示しないエアコンディショニング装置の動作条件、例えば冷気強度、風量及び風向き等を制御するようになっている。
【００２４】
また、エアコンディショニングコンピュータ１２は、車内の温度やエアコンディショニング装置の動作状況等を表示する映像信号を生成して出力するようになっている映像信号生成部である。
【００２５】
その他コンピュータ１３は、ナビゲーションコンピュータ１１及びエアコンディショニングコンピュータ１２以外の純正機器１０の構成部を動作制御するものであり、例えば、メンテナンス時期等の車両情報の管理や純正機器１０の構成部分として搭載されているＣＤプレイヤー１５（図３参照）やラジオユニット１６（図３参照）の制御等を行うようになっている。
【００２６】
純正ユニット１４は、純正ヘッドユニット１４ａ、純正マルチディスプレイ１４ｂを備えて構成されている。
【００２７】
このうち純正ヘッドユニット１４ａは、各種プログラム等を格納するＲＯＭ（Read Only Memory）と、データ等を記憶する記憶領域及びプログラム等を展開する作業領域を備えるＲＡＭ（Random Access Memory）（いずれも図示せず）と、純正側制御部としての純正側ＣＰＵ１４ｃとを備えて構成されている。純正ヘッドユニット１４ａは、ＲＯＭに記録された処理プログラムをＲＡＭに展開し、純正側ＣＰＵ１４ｃが、ＲＡＭ１４に展開されたプログラムと協働することにより、純正機器１０の各構成部を駆動制御する等、各種処理を実行するようになっている。
【００２８】
本実施形態において、純正側ＣＰＵ１４ｃは、切替入力部１９、純正マルチディスプレイ１４ｂの表示画面上に構成されるタッチパネル、表示器８０の表示画面上に構成されるタッチパネル等、いずれかの入力部からの入力信号を受けて、純正側ビデオセレクタ１７、純正側オーディオセレクタ１８の動作に関する設定を行うようになっている。
【００２９】
すなわち、純正側ＣＰＵ１４ｃは、純正マルチディスプレイ１４ｂ又は後述する表示器８０に出力する映像信号を選択する純正側ビデオセレクタ１７に純正機器１０からの映像信号又は非純正ビデオ機器３０ａ，３０ｂからの映像信号のいずれかを選択させるように制御するようになっている。
【００３０】
また、純正側ＣＰＵ１４ｃは、純正側オーディオセレクタ１８に純正機器１０からの音声信号又は非純正オーディオ機器２０ａ，２０ｂからの音声信号のいずれかを選択させるように制御するようになっている。
【００３１】
なお、本実施形態において、ナビゲーションコンピュータ１１、エアコンコンピュータ１２等、純正機器１０の各構成部から出力される映像信号、非純正ビデオ機器３０ａ，３０ｂから出力される映像信号、及び後述するＧＵＩ制御部６７により生成される操作ボタン信号を純正マルチディスプレイ１４ｂに出力させるか、表示器８０に出力させるかは、予め選択・設定可能となっており、純正側ＣＰＵ１４ｃは、この設定に従って、各信号の送信先を決定する。
すなわち、予め純正マルチディスプレイ１４ｂに出力させるとの設定がなされている場合には、純正側ＣＰＵ１４ｃは、純正側ビデオセレクタ１７で選択された各映像信号を純正マルチディスプレイ１４ｂに出力させる。また、予め表示器８０に出力させるとの設定がなされている場合には、純正側ＣＰＵ１４ｃは、純正側ビデオセレクタ１７で選択された各映像信号をビデオセレクタ６４に出力させる。
なお、各映像信号を純正マルチディスプレイ１４ｂに出力させるか、表示器８０に出力させるかは、入力部からの入力により設定可能となっていてもよいし、例えば、表示器８０を設置する際に、映像信号の出力先を設定できるようになっていてもよい。
【００３２】
また、純正マルチディスプレイ１４ｂは、例えば、液晶、有機ＥＬ、プラズマ等のディスプレイによって構成されており、区分化された表示領域に複数の映像を表示可能となっている。純正マルチディスプレイ１４ｂは、この区分化された表示領域のうち少なくとも一つの領域に、純正機器１０であるナビゲーションコンピュータ１１、エアコンディショニングコンピュータ１２又はその他コンピュータ１３から出力された映像信号、及び非純正機器３０ａ，３０ｂから出力された映像信号に基づく映像を表示可能な表示手段（純正側の信号出力部）であって、例えば、ナビゲーションコンピュータ１１から送信されたナビゲーション画面等を表示する。
【００３３】
また、純正マルチディスプレイ１４ｂは、純正側の入力部としての機能を果たすことが可能となっている。すなわち純正マルチディスプレイ１４ｂには、後述するＧＵＩ制御部６７からの操作ボタン信号（ＧＵＩ信号）が純正側ビデオセレクタ１７で選択され、操作ボタン信号が純正マルチディスプレイ１４ｂに入力された場合に、ＧＵＩ画面（操作ボタン画面）を表示させることにより、区分化された表示領域のうち少なくとも一つの領域においてタッチパネルを構成することが可能である。そして、純正マルチディスプレイ１４ｂがタッチパネルを構成する場合には、純正機器１０の各構成部及び非純正機器２０，３０等についての各種設定を行う設定画面を表示させ、表示画面上から各種の入力、設定を行うことができる。
【００３４】
また、純正マルチディスプレイ１４ｂは、リレー制御部６５のウェイクアップタイマー機能やスリープタイマー機能に関する設定画面を表示するようになっている。すなわち、純正マルチディスプレイ１４ｂの設定画面において、その他の非純正機器５０のウェイクアップ時間やスリープ時間を設定することにより、その他の非純正機器５０のＯＮ／ＯＦＦ動作を制御することが可能となっている。
【００３５】
また、ＣＤプレイヤー１５は、ＣＤに記録された音声データに基づく音声信号を生成する音声信号生成部であり、ラジオユニット１６は、ＦＭラジオ、ＡＭラジオ等の電波を受信して音声信号を生成する音声信号生成部である。
なお、ＣＤプレイヤー１５やラジオユニット１６は、純正機器１０の必須の構成部ではなく、純正機器１０をＣＤプレイヤー１５やラジオユニット１６等を備えない構成としてもよい。また、例えばＣＤ以外の記録媒体に記憶された音声データ等に基づく音声信号を生成する音声信号生成部が搭載されていてもよい。
【００３６】
純正側ビデオセレクタ１７は、純正側ＣＰＵ１４ｃの制御により、例えば図２に示すように、ビデオ出力時に純正機器１０のナビゲーションコンピュータ１１から入力されるナビゲーション画面の映像信号、エアコンコンピュータ１２から入力されるエアコン画面の映像信号、又は純正機器１０以外から図示しない外部入力端子を介して入力される各種の映像信号のいずれかを選択し、選択した映像信号を純正マルチディスプレイ１４ｂに出力するようになっている純正側セレクタである。
なお、ここでは、純正側ビデオセレクタ１７が上記のように３種類の映像信号の中からいずれかを選択する例を説明したが、純正側ビデオセレクタ１７が選択可能な映像信号はここに例示したものに限定されず、映像信号出力可能な構成部を他にも有している場合には、純正側ビデオセレクタ１７はその映像信号も選択可能に構成される。
【００３７】
また、純正側オーディオセレクタ１８は、純正側ＣＰＵ１４ｃの制御により、例えば図３に示すように、オーディオ出力時に純正機器１０のナビゲーションコンピュータ１１から入力されるナビゲーション音声の音声信号、ＣＤプレイヤー１５から入力されるＣＤ再生の音声信号、又はラジオユニット１６から入力されるラジオ音声の音声信号のいずれかを選択し、選択した音声信号を、オーディオセレクタ６２に入力するようになっている純正側セレクタである。オーディオセレクタ６２において、純正側オーディオセレクタ１８から入力された音声信号が選択されると、純正機器１０の各構成部から出力された音声信号がアンプ６３を介してスピーカ７０に出力される。
なお、ここでは、純正側オーディオセレクタ１８が上記のように３種類の音声信号の中からいずれかを選択する例を説明したが、純正側オーディオセレクタ１８が選択可能な音声信号はここに例示したものに限定されず、純正機器１０が音声信号出力可能な構成部を他にも有している場合には、純正側オーディオセレクタ１８はその音声信号も選択可能に構成される。
【００３８】
また、切替入力部１９は、例えば、ボタンやキー等で構成され、純正マルチディスプレイ１４ｂ又は後述する表示器８０に出力させる映像信号を切り替える切替指示や、スピーカ７０に出力させる音声信号を切り替える切替指示を入力する入力部である。
なお、前述したように、純正マルチディスプレイ１４ｂや表示器８０がタッチパネルを構成する場合には、純正マルチディスプレイ１４ｂや表示器８０が切替入力部１９に換えて、又は切替入力部１９とともに、各種切替指示を入力する入力部として機能してもよい。
【００３９】
非純正オーディオ機器２０ａ，２０ｂは、ユーザによって車両内に後付けされた市販のオーディオ機器であり、例えば、オーディオプレイヤー等によって構成される。
【００４０】
また、非純正ビデオ機器３０ａ，３０ｂは、同様にユーザによって車両内に後付けされた市販のビデオ機器であり、例えば、カーナビゲーション装置やカーＤＶＤプレイヤー等によって構成される。
【００４１】
リレー４０は、その他の非純正機器５０と管理装置６０との接続手段であって、管理装置６０から出力された電気信号を受けて、その他の非純正機器５０の駆動に必要な動作電気信号を送信するようになっている。
【００４２】
また、その他の非純正機器５０は、ユーザによって車両外に後付けされた市販の外部機器であって、例えば、リアモニタ、ガレージ用リモートコントローラ又はフォグランプ等によって構成される。
【００４３】
管理装置６０は、管理装置ＣＰＵ６１、オーディオセレクタ６２、アンプ６３、ビデオセレクタ６４，６９及びリレー制御部６５、制御データ変換部６６、ＧＵＩ制御部６７、映像検出部６８ａ，６８ｂ等を備えて構成されている。
【００４４】
管理装置ＣＰＵ６１は、純正機器１０の切替入力部１９、純正マルチディスプレイ１４ｂの表示画面上に構成されるタッチパネル、表示器８０の表示画面上に構成されるタッチパネル等、いずれかの入力部からの入力信号を受けて、オーディオセレクタ６２及びビデオセレクタ６４，６９の動作に関する設定を行うようになっている管理側制御部である。
【００４５】
すなわち、管理装置ＣＰＵ６１は、オーディオセレクタ６２に純正機器１０からの音声信号又は非純正オーディオ機器２０ａ，２０ｂからの音声信号のいずれかを選択させるように制御するようになっている。
【００４６】
また、管理装置ＣＰＵ６１は、後述する表示器８０に出力する映像信号を選択するビデオセレクタ６４に純正機器１０からの映像信号又は非純正ビデオ機器３０ａ，３０ｂからの映像信号のいずれかを選択させるように制御するようになっている。
【００４７】
また、管理装置ＣＰＵ６１は、純正マルチディスプレイ１４ｂに出力する映像信号を選択するビデオセレクタ６９に非純正ビデオ機器３０ａ，３０ｂ等、外部の各種非純正機器からの映像信号のいずれかを選択させるように制御するようになっている。
【００４８】
なお、前述のように、本実施形態において、ナビゲーションコンピュータ１１、エアコンコンピュータ１２等、純正機器１０の各構成部から出力される映像信号、非純正ビデオ機器３０ａ，３０ｂから出力される映像信号、及び後述するＧＵＩ制御部６７により生成される操作ボタン信号を純正マルチディスプレイ１４ｂに出力させるか、表示器８０に出力させるかは、予め選択・設定可能となっており、管理装置ＣＰＵ６１は、この設定に従って、ビデオセレクタ６９又はビデオセレクタ６４を制御して各信号の送信先を決定する。
すなわち、予め純正マルチディスプレイ１４ｂに出力させるとの設定がなされている場合には、管理装置ＣＰＵ６１は、ビデオセレクタ６９を動作させて各信号を純正マルチディスプレイ１４ｂに出力させる。また、予め表示器８０に出力させるとの設定がなされている場合には、管理装置ＣＰＵ６１は、ビデオセレクタ６４を動作させて各信号を表示器８０に出力させる。
【００４９】
なお、純正マルチディスプレイ１４ｂ及び表示器８０の両方を映像信号に基づく出力を行う表示手段（信号出力部）として用いてもよい。この場合、同じ映像信号を純正マルチディスプレイ１４ｂ及び表示器８０の両方に出力させ、両方で同じ映像を表示させることもできるし、純正マルチディスプレイ１４ｂと表示器８０とにそれぞれ異なる映像信号を出力させ、それぞれ異なる映像を表示させることができるようにしてもよい。このように純正マルチディスプレイ１４ｂ及び表示器８０の両方を表示手段として用いる場合には、管理装置ＣＰＵ６１は、ビデオセレクタ６９及びビデオセレクタ６４を動作させて、それぞれ所望の信号を純正マルチディスプレイ１４ｂ及び表示器８０に出力させる。
これにより、例えば、純正マルチディスプレイ１４ｂが前部座席側のモニタであり、表示器８０が後部座席側のモニタである場合に、前部座席側のモニタ及び後部座席側のモニタに同時に同じナビゲーション画面を表示させることもできるし、前部座席側のモニタにナビゲーション画面を表示させながら、後部座席側のモニタにはＤＶＤプレイヤーやテレビ（television）等の非純正ビデオ機器３０から出力される映像信号に基づく映像を表示させることも可能となる。
【００５０】
オーディオセレクタ６２は、管理装置ＣＰＵ６１からの制御信号に従って、オーディオ出力時に純正ヘッドユニット１４ａから入力される音声信号又は非純正オーディオ機器２０ａ，２０ｂから入力される音声信号のいずれかを選択し、選択した音声信号を、アンプ６３を介してスピーカ７０に出力するようになっている。
【００５１】
アンプ６３は、オーディオセレクタ６２からの出力信号を所定の規定レベルに増幅してスピーカ７０に出力するようになっている。
【００５２】
ビデオセレクタ６４は、管理装置ＣＰＵ６１からの制御信号に従って、ビデオ出力時に純正ヘッドユニット１４ａから入力される映像信号又は非純正ビデオ機器３０ａ，３０ｂから入力される映像信号のいずれかを選択し、選択した映像信号を表示器８０に出力するようになっている。
【００５３】
また、ビデオセレクタ６９は、管理装置ＣＰＵ６１からの制御信号に従って、ビデオ出力時に非純正ビデオ機器３０ａ，３０ｂから入力される映像信号のいずれかを選択し、選択した映像信号を図示しない外部入力端子を介して純正機器１０の純正側ビデオセレクタ１７に出力するようになっている。純正側ビデオセレクタ１７において、外部入力端子から入力された映像信号が選択されると、ビデオセレクタ６９によって選択された非純正ビデオ機器３０ａ，３０ｂからの映像信号が純正マルチディスプレイ１４ｂに出力される。
【００５４】
次に、リレー制御部６５は、管理装置ＣＰＵ６１からの制御信号に従って、リレー４０の起動を制御するようになっている。これにより、リレー４０に接続されたその他の非純正機器５０について、図示しない電源のＯＮ／ＯＦＦ操作を自動的に行うことが可能となっている。
【００５５】
また、本実施形態のリレー制御部６５は、リレー４０の制御により、その他の非純正機器５０の電源のＯＮ時間／ＯＦＦ時間を調整するようになっている。これにより、その他の非純正機器５０の電源がＯＦＦとされた後、所定時間の経過後に自動的に電源をＯＮとするウェイクアップタイマー機能や、その逆に、電源がＯＮとされた後、所定時間の経過後に自動的に電源をＯＦＦとするスリープタイマー機能を果たすようになっている。
【００５６】
次に、制御データ変換部６６は、切替入力部１７や純正マルチディスプレイ１４ｂの設定画面から入力され入力指示に応じて純正機器１０の純正側ＣＰＵ１４ｃから送信される指示信号を、非純正オーディオ機器２０ａ，２０ｂ、非純正ビデオ機器３０ａ，３０ｂ、ＧＵＩ制御部６７又はその他の非純正機器５０に対応する指示信号に変換するようになっている。制御データ変換部６６によって変換された純正機器１０からの指示信号は、管理装置ＣＰＵ６１に送信され、管理装置ＣＰＵ６１は、受信した指示信号に従って、非純正オーディオ機器２０ａ，２０ｂ、非純正ビデオ機器３０ａ，３０ｂ、ＧＵＩ制御部６７又はその他の非純正機器５０の制御を行う。
このように、本実施形態では、純正側ＣＰＵ１４ｃから送信される指示信号を制御データ変換部６６で変換処理して管理装置ＣＰＵ６１に送信することにより、純正側ＣＰＵ１４ｃと管理装置ＣＰＵ６１との間で通信可能となっている。
【００５７】
ＧＵＩ（Graphical User Interface）制御部６７は、純正機器１０の各構成部や、非純正オーディオ機器２０ａ，２０ｂ、非純正ビデオ機器３０ａ，３０ｂ又はその他の非純正機器５０の動作制御に関する指示入力を行うための操作ボタン画面を表示させる操作ボタン信号（ＧＵＩ信号）を生成するようになっている。管理装置ＣＰＵ６１は、操作ボタン信号の出力先（操作ボタン画面の表示先）が予め純正マルチディスプレイ１４ｂと設定されている場合には、ビデオセレクタ６９を通じて純正マルチディスプレイ１４ｂに操作ボタン信号を出力し、操作ボタン信号の出力先（操作ボタン画面の表示先）が予め表示器８０と設定されている場合には、ビデオセレクタ６４を通じて表示器８０に操作ボタン信号を出力する。なお、操作ボタン画面の表示先を選択するための選択ボタンが表示器８０の表示画面に表示されるようになっていてもよい。
【００５８】
映像検出部６８ａ，６８ｂは、非純正ビデオ機器３０ａ，３０ｂが通信可能に接続されているか否かを検出する構成部である。すなわち、映像検出部６８ａは、非純正ビデオ機器３０ａが接続されているか否かを検出し、検出の可否を管理装置ＣＰＵ６１に送信する。また、映像検出部６８ｂは、非純正ビデオ機器３０ｂが接続されているか否かを検出し、検出の可否を管理装置ＣＰＵ６１に送信する。
管理装置ＣＰＵ６１は、映像検出部６８ａ，６８ｂからの検出信号によって、非純正ビデオ機器３０ａ，３０ｂが接続されているか否かを判断するようになっている。なお、この判断において、管理装置ＣＰＵ６１は、映像検出部６８ａ，６８ｂが非純正ビデオ機器３０ａ，３０ｂが接続されていないと判断した場合以外、すなわち、接続されていると判断した場合又は通信が成功しない等の理由により接続されているか否かが不明である場合には、非純正ビデオ機器３０ａ，３０ｂが接続されているものとして扱うようになっている。
【００５９】
スピーカ７０は、オーディオセレクタ６２により選択され、アンプ６３により増幅された純正機器１０又は非純正オーディオ機器２０ａ，２０ｂからの音声信号に基づいて音声を出力するようになっている音声信号出力部である。
【００６０】
表示器８０は、外部の信号出力部として機能する液晶，有機ＥＬ，プラズマ等のディスプレイである。また、表示器８０は、タッチパネルとして構成され、入力部としての機能を果たすようになっている。なお、表示器８０は区分化された表示領域に複数の映像を表示するマルチディスプレイとして構成してもよい。また、表示器８０は、図示しない赤外線通信部を備えており、リモートコントローラ９０からの指示信号を受信することが可能となっている。
【００６１】
また、表示器８０は、オーディオセレクタ６２及びビデオセレクタ６４，６９の設定に関する設定画面を表示するようになっており、設定画面上から各種の入力、設定を行うことができ、外部の入力部として機能するようになっている。
【００６２】
すなわち、表示器８０の設定画面において、オーディオセレクタ６２の選択により純正機器１０からの音声信号又は非純正オーディオ機器２０ａ，２０ｂからの音声信号のいずれをスピーカ７０から出力させるかを選択することができるようになっている。
【００６３】
また、表示器８０の設定画面その他の入力部において映像信号を表示器８０に出力させるとの設定がされた場合には、表示器８０の設定画面において、ビデオセレクタ６４の選択により純正機器１０からの映像信号又は非純正ビデオ機器３０ａ，３０ｂからの映像信号のいずれを表示器８０から出力させるかを選択することができるようになっている。
さらに、表示器８０の設定画面において、純正機器１０からの映像信号又は非純正ビデオ機器３０ａ，３０ｂからの映像信号を純正マルチディスプレイ１４ｂ又は表示器８０のいずれに出力するか（映像信号に基づく映像をいずれに表示させるか）を選択・設定できるようになっている。
そして、表示器８０の設定画面その他の入力部において映像信号を純正マルチディスプレイ１４ｂに出力させるとの設定がされた場合には、表示器８０の設定画面において、ビデオセレクタ６９の選択により非純正ビデオ機器３０ａ，３０ｂからの映像信号のいずれを純正マルチディスプレイ１４ｂに出力させるかを選択することができるようになっている。
【００６４】
また、表示器８０は、非純正オーディオ機器２０ａ，２０ｂ又は非純正ビデオ機器３０ａ，３０ｂ等の動作制御に関する設定画面を表示するようになっている。
【００６５】
また、表示器８０は、リレー制御部６５のウェイクアップタイマー機能やスリープタイマー機能に関する設定画面を表示するようになっている。すなわち、表示器８０の設定画面において、その他の非純正機器５０のウェイクアップ時間やスリープ時間を設定することにより、その他の非純正機器５０のＯＮ／ＯＦＦ動作を制御することが可能となっている。
【００６６】
また、表示器８０は、ビデオセレクタ６４により選択された純正機器１０又は非純正ビデオ機器３０ａ，３０ｂからの映像信号に基づいて映像を出力するようになっている。
【００６７】
リモートコントローラ９０は、図示しない操作ボタンを備えており、この操作ボタンの押下によって種々の指示入力を行うことが可能となっている。また、リモートコントローラ９０は、図示しない赤外線通信部を備えており、表示器８０が備える図示しない赤外線通信部と赤外線通信を行うことにより、入力された指示信号を表示器８０に送信するようになっている。
【００６８】
なお、表示器８０の設定画面における指示入力は、リモートコントローラ９０を使用して行うことも可能である。
【００６９】
次に、本実施形態に係る車載機器の管理システム１の動作について説明する。
【００７０】
まず、切替入力部１９の操作、表示器８０や純正マルチディスプレイ１４ｂの画面に構成されたタッチパネル等に表示された選択ボタン（操作ボタン）の押下、その他入力部による操作によってすべての映像の表示先として純正マルチディスプレイ１４ｂが選択された場合の映像出力処理について、図２、図４及び図５を参照しつつ説明する。
【００７１】
なお、以下においては、映像信号を生成する純正機器１０の構成部として、ナビゲーションコンピュータ１１及びエアコンコンピュータ１２があり、外部入力端子を介して純正側ビデオセレクタ１７に入力される外部入力信号（非純正機器等からの映像信号）を生成する構成部として、非純正ビデオ機器３０ａ，３０ｂ及びＧＵＩ制御部６７がある場合について説明する。
【００７２】
また、純正側ビデオセレクタ１７による映像信号の切り替えは、切替入力部１９から切替信号が入力されるごとに、ナビゲーションコンピュータ１１からの映像信号、エアコンコンピュータ１２からの映像信号、外部入力信号の順番で切り替えられるものとする。
また、純正側ビデオセレクタ１７に外部入力信号を出力するビデオセレクタ６９による切り替えは、純正側ＣＰＵ１４ｃからの映像切替指示を受けて管理装置ＣＰＵ６１から切替指示が入力されるたびに、ＧＵＩ制御部６７からのＧＵＩ信号（操作ボタン信号）、非純正ビデオ機器３０ａからの映像信号、非純正ビデオ機器３０ｂからの映像信号の順番で切り替えられるものとする。
なお、純正側ビデオセレクタ１７による映像信号の切り替え及びビデオセレクタ６９による映像信号の切り替えの順番は、ここに例示した順番に限定されない。また、映像信号を切り替える順番をあとから任意に設定し直すことができるようになっていてもよい。
【００７３】
まず、図２及び図４を参照して、純正側ＣＰＵ１４ｃによる純正側ビデオセレクタ１７の切替動作について説明する。
切替入力部１９等の入力部から純正マルチディスプレイ１４ｂに表示させる映像を切り替える切替指示が入力された場合（ステップＳ１）には、純正側ＣＰＵ１４ｃは、現在、純正側ビデオセレクタ１７で選択されている映像信号がナビゲーションコンピュータ１１からの映像信号であるか、すなわち、純正マルチディスプレイ１４ｂに表示されている現在の画面がナビゲーションコンピュータ１１からの映像信号に基づくナビゲーション画面であるか、を判断する（ステップＳ２）。そして、ナビゲーションコンピュータ１１からの映像信号が選択されている場合（ステップＳ２；ＹＥＳ）には、純正側ＣＰＵ１４ｃは、純正マルチディスプレイ１４ｂに出力する映像信号をエアコンコンピュータ１２からの映像信号に切り替えるように純正側ビデオセレクタ１７を制御する。これにより、純正側ビデオセレクタ１７がエアコンコンピュータ１２からの映像信号を選択し（ステップＳ３）、純正マルチディスプレイ１４ｂに表示される画面がエアコンコンピュータ１２からの映像信号に基づくエアコン画面に設定される。そして、純正側ＣＰＵ１４ｃは、次にいずれかの入力部から切替指示が入力されたときに純正マルチディスプレイ１４ｃに表示される映像はＧＵＩ制御部６７からの操作ボタン信号に基づくＧＵＩ画面（操作ボタン画面）である旨を管理装置ＣＰＵ６１に通知する（ステップＳ４）。
【００７４】
他方、現在、純正側ビデオセレクタ１７で選択されているのがナビゲーションの映像信号でない場合（ステップＳ２；ＮＯ）には、純正側ＣＰＵ１４ｃは、純正側ビデオセレクタ１７で現在選択されている映像信号がエアコンコンピュータ１２からの映像信号であるか、すなわち、純正マルチディスプレイ１４ｂに表示されている現在の画面がエアコン画面かを判断する（ステップＳ５）。そして、エアコンコンピュータ１２からの映像信号が選択されている場合（ステップＳ５；ＹＥＳ）には、純正側ＣＰＵ１４ｃは、純正マルチディスプレイ１４ｂに出力する映像信号を、ビデオセレクタ６９から外部入力端子を介して入力された外部入力信号に切り替えるように純正側ビデオセレクタ１７を制御する。このとき、ビデオセレクタ６９は、後述するように、管理装置ＣＰＵ６１によりＧＵＩ制御部６７からの操作ボタン信号を選択するように制御されているので、純正ビデオセレクタ１７が外部入力信号を選択すると（ステップＳ６）、純正マルチディスプレイ１４ｂに表示される映像が操作ボタン信号に基づくＧＵＩ画面（操作ボタン画面）に設定される。
【００７５】
現在、純正側ビデオセレクタ１７で選択されている映像信号がナビゲーションの映像信号でもエアコンの映像信号でもない場合（ステップＳ５；ＮＯ）には、純正側ＣＰＵ１４ｃは、現在すでに外部入力信号が選択されていると判断し、管理装置ＣＰＵ６１から外部入力映像の表示を終了する旨の終了指示があるかを判断する（ステップＳ７）。そして、管理装置ＣＰＵ６１から終了指示がない場合（ステップＳ７；ＮＯ）には、管理装置ＣＰＵ６１に対して外部入力信号を次の映像信号に切り替えるように切替指示を送信して（ステップＳ８）、処理を終了する。
【００７６】
他方、管理装置ＣＰＵ６１から外部入力映像の表示終了指示があった場合（ステップＳ７；ＹＥＳ）には、純正側ＣＰＵ１４ｃは、純正マルチディスプレイ１４ｂに出力する映像信号を、外部入力信号から純正機器１０のナビゲーション画面の映像信号に切り替えるように純正側ビデオセレクタ１７を制御し（ステップＳ９）、処理を終了する。
【００７７】
次に、図２及び図５を参照して、管理装置ＣＰＵ６１によるビデオセレクタ６９の切替動作について説明する。
まず、純正側ＣＰＵ１４ｃから、次の切替指示が入力された際に純正マルチディスプレイ１４ｂに出力されるべき映像信号がＧＵＩ制御部６７からのＧＵＩ信号（操作ボタン信号）である旨の通知が送られると（図４のステップＳ４）、管理装置ＣＰＵ６１は、純正側ビデオセレクタ１７に出力する映像信号をＧＵＩ制御部６７からの操作ボタン信号に切り替えるようにビデオセレクタ６９を制御する。そして、純正側ＣＰＵ１４ｃからの指示により、純正側ビデオセレクタ１７が純正機器１０の映像信号から外部入力信号に接続を切り替えると、外部入力信号としてＧＵＩ制御部６７からの操作ボタン信号が純正側ビデオセレクタ１７に入力され、純正マルチディスプレイ１４ｂに操作ボタン信号に基づく操作ボタン画面が表示される。
【００７８】
そして、純正側ＣＰＵ１４ｃから管理装置ＣＰＵ６１に対して映像信号の切り替えを指示する映像切替指示が送信されると（ステップＳ１１）、管理装置ＣＰＵ６１は、現在、ビデオセレクタ６９によって選択されているのが操作ボタン信号（ＧＵＩ信号）であるかを判断する（ステップＳ１２）。そして、ビデオセレクタ６９によって操作ボタン信号が選択されている場合（ステップＳ１２；ＹＥＳ）には、管理装置ＣＰＵ６１は、さらに、非純正ビデオ機器３０ａが接続されているかを映像検出部６８ａからの検出信号により判断する（ステップＳ１３）。そして、映像検出部６８ａからの検出信号により非純正ビデオ機器３０ａが接続されていることが確認できる場合又は映像検出部６８ａによって非純正ビデオ機器３０ａの検出ができない場合（接続されているか否かが不明の場合）には、管理装置ＣＰＵ６１は、非純正ビデオ機器３０ａが接続されていると判断して（ステップＳ１３；ＹＥＳ）、非純正ビデオ機器３０ａの映像信号を選択するようにビデオセレクタ６９に指示する（ステップＳ１４）。これにより非純正ビデオ機器３０ａの映像信号が純正側ビデオセレクタ１７を通じて純正マルチディスプレイ１４ｂに入力され、純正マルチディスプレイ１４ｂに非純正ビデオ機器３０ａの映像が表示される。
【００７９】
他方、ビデオセレクタ６９によって操作ボタン信号が選択されていない場合（ステップＳ１２；ＮＯ）には、管理装置ＣＰＵ６１は、ビデオセレクタ６９によって現在選択されているのが非純正ビデオ機器３０ａの映像信号であるかを判断する（ステップＳ１５）。そして、ビデオセレクタ６９によって非純正ビデオ機器３０ａの映像信号が選択されていない場合には（ステップＳ１５；ＮＯ）、管理装置ＣＰＵ６１は、操作ボタン信号を選択するようにビデオセレクタ６９を制御するとともに（ステップＳ１６）、純正側ＣＰＵ１４ｃに対して外部入力映像が終了した旨の通知を行い（ステップＳ１７）、処理を終了する。
【００８０】
また、現在、ビデオセレクタ６９によって非純正ビデオ機器３０ａの映像信号が選択されている場合（ステップＳ１５；ＹＥＳ）又は現在ＧＵＩ信号が選択されているが、映像検出部６８ａによる検出の結果、非純正ビデオ機器３０ａが接続されていないと確認できた場合（ステップＳ１３；ＮＯ）には、管理装置ＣＰＵ６１は、さらに、非純正ビデオ機器３０ｂが接続されているかを映像検出部６８ｂからの検出信号により判断する（ステップＳ１８）。そして、映像検出部６８ｂからの検出信号により非純正ビデオ機器３０ｂが接続されていることが確認できる場合又は映像検出部６８ｂによって非純正ビデオ機器３０ｂの検出ができない場合（接続されているか否かが不明の場合）には、管理装置ＣＰＵ６１は、非純正ビデオ機器３０ｂが接続されていると判断して（ステップＳ１８；ＹＥＳ）、非純正ビデオ機器３０ｂの映像信号を選択するようにビデオセレクタ６９に指示する（ステップＳ１９）。これにより非純正ビデオ機器３０ｂの映像信号が純正側ビデオセレクタ１７を通じて純正マルチディスプレイ１４ｂに入力され、純正マルチディスプレイ１４ｂに非純正ビデオ機器３０ｂの映像が表示される。また、映像検出部６８ｂによる検出の結果非純正ビデオ機器３０ｂが接続されていないと確認できた場合（ステップＳ１８；ＮＯ）には、管理装置ＣＰＵ６１は、ＧＵＩ制御部６７の操作ボタン信号を選択するようにビデオセレクタ６９を制御するとともに（ステップＳ１６）、純正側ＣＰＵ１４ｃに対して外部入力映像が終了した旨の通知を行い（ステップＳ１７）、処理を終了する。
【００８１】
次に、純正機器１０の各部及び非純正ビデオ機器３０ａ，３０ｂ等からの映像信号に基づく映像及びＧＵＩ制御部６７からの操作ボタン信号に基づく操作ボタン及び非純正ビデオ機器３０ａ，３０ｂからの映像信号に基づく映像の表示先として表示器８０が選択された場合について説明する。
【００８２】
この場合には、純正側ＣＰＵ１４ｃの制御に従って、純正機器１０のいずれかの構成部で生成された映像信号（例えばナビゲーションの映像信号、エアコンの映像信号）のうちのいずれかが純正側ビデオセレクタ１７により選択される。そして、純正側ビデオセレクタ１７で選択された純正機器１０の映像信号、非純正ビデオ機器３０ａ，３０ｂの映像信号、ＧＵＩ制御部６７の操作ボタン信号が選択可能にビデオセレクタ６４に入力される。管理装置ＣＰＵ６１は、ビデオセレクタ６４に対して適宜映像信号の切替指示を送信し、ビデオセレクタ６４は管理装置ＣＰＵ６１の制御に従って映像信号の切り替えを行い、選択した映像信号を表示器８０に出力する。
【００８３】
なお、純正側ビデオセレクタ１７及びビデオセレクタ６４において、いずれの映像信号を選択するかは、上記した純正マルチディスプレイ１４ｂに映像信号を出力する場合と同様、切替入力部等の入力部からの切替指示に応じて決定される。表示器８０に映像信号を出力する場合についてのその他の処理は、純正マルチディスプレイ１４ｂに映像信号を出力する場合とほぼ同様であるので、その説明を省略する。
【００８４】
次に、図３、図６及び図７を参照しつつ、純正機器１０の各構成部及び非純正オーディオ機器２０ａ，２０ｂ等からの音声信号に基づく音声をスピーカ７０から出力させる音声出力処理について説明する。
【００８５】
まず、図３及び図６を参照して、純正側ＣＰＵ１４ｃによる純正側オーディオセレクタ１８の切替動作について説明する。
なお、以下においては、音声信号を生成する純正機器１０の構成部として、ナビゲーションコンピュータ１１、ＣＤプレイヤー１５及びラジオユニット１６があり、純正機器１０以外で音声信号を生成する構成部として、非純正オーディオ機器２０ａ及び非純正オーディオ機器２０ｂがある場合について説明する。また、純正側オーディオセレクタ１８による切り替えは、切替入力部１９から切替信号が入力されるごとに、ナビゲーションコンピュータ１１からの音声信号、ＣＤプレイヤー１５からの音声信号、ラジオユニット１６からの音声信号の順番で切り替えられるものとする。
また、スピーカ７０に音声信号を出力するオーディオセレクタ６２による切り替えは、純正側ＣＰＵ１４ｃからの音声切替指示を受けて管理装置ＣＰＵ６１から切替指示が入力されるたびに純正機器１０からの音声信号、非純正オーディオ機器２０ａからの音声信号、非純正オーディオ機器２０ｂからの音声信号の順番で切り替えられるものとする。
なお、純正側オーディオセレクタ１８による音声信号の切り替え及びオーディオセレクタ６２による音声信号の切り替えの順番は、ここに例示した順番に限定されない。また、音声信号を切り替える順番をあとから任意に設定し直すことができるようになっていてもよい。
【００８６】
まず、スピーカ７０から出力させる音声信号を切り替える切替指示が切替入力部１９等の入力部から入力されると（ステップＳ２１）、純正側ＣＰＵ１４ｃは、現在、純正側オーディオセレクタ１８で選択されているのがナビゲーションコンピュータ１１からの音声信号であるかを判断する（ステップＳ２２）。
【００８７】
ナビゲーションコンピュータ１１からの音声信号が選択されている場合（ステップＳ２２；ＹＥＳ）には、純正側ＣＰＵ１４ｃは、ＣＤプレイヤー１５からの音声信号を選択するように純正側オーディオセレクタ１８を制御する（ステップＳ２３）。これにより、オーディオセレクタ６２に出力される音声信号がＣＤプレイヤー１５からの音声信号となり、オーディオセレクタ６２において純正機器１０が選択されたときにはＣＤプレイヤー１５からの音声がスピーカ７０から出力される。
【００８８】
他方、純正側オーディオセレクタ１８でナビゲーションコンピュータ１１からの音声信号が選択されていない場合（ステップＳ２２；ＮＯ）には、純正側ＣＰＵ１４ｃは、さらに、ＣＤプレイヤー１５からの音声信号が選択されているかを判断する（ステップＳ２４３）。ＣＤプレイヤー１５からの音声信号が選択されている場合（ステップＳ２４；ＹＥＳ）には、純正側ＣＰＵ１４ｃは、ラジオユニット１６からの音声信号を選択するように純正側オーディオセレクタ１８を制御する（ステップＳ２５）。これにより、オーディオセレクタ６２に出力される音声信号がラジオユニット１６からの音声信号となり、オーディオセレクタ６２において純正機器１０が選択されたときにはラジオユニット１６からの音声がスピーカ７０から出力される。
【００８９】
現在、純正側オーディオセレクタ１８で選択されているものがナビゲーションコンピュータ１１からの音声信号でもＣＤプレイヤー１５からの音声信号でもない場合（ステップＳ２４；ＮＯ）には、純正側ＣＰＵ１４ｃは、現在ラジオユニット１６からの音声信号が選択されていると判断して、もとのナビゲーションコンピュータ１１からの音声信号を選択するように純正側オーディオセレクタ１８を制御する（ステップＳ２６）。そして、純正側ＣＰＵ１４ｃは、管理装置ＣＰＵ６１に対して純正機器１０側からの音声信号が終了した旨の通知を行い（ステップＳ２７）、処理を終了する。
【００９０】
次に、図３及び図７を参照して、管理装置ＣＰＵ６１によるオーディオセレクタ６２の切替動作について説明する。まず、純正側ＣＰＵ１４ｃから、音声切り替えを指示する音声切替指示が送信されると（ステップＳ３１）、管理装置ＣＰＵ６１は、オーディオセレクタ６２によって現在選択されているのが純正機器１０からの音声信号であるかを判断する（ステップＳ３２）。そして、オーディオセレクタ６２によって純正機器１０からの音声信号が選択されている場合（ステップＳ３２；ＹＥＳ）には、管理装置ＣＰＵ６１は、さらに、純正側ＣＰＵ１４ｃから、純正機器１０側からの音声信号が終了した旨の通知があったかどうかを判断する（ステップＳ３３）。そして、純正機器１０側からの音声信号が終了した旨の通知がない場合（ステップＳ３３；ＮＯ）には、純正側ＣＰＵ１４ｃに対して、オーディーセレクタ６２に出力する音声信号を切り替えるように指示を行う（ステップＳ３４）。
【００９１】
他方、純正側ＣＰＵ１４ｃから純正機器１０側からの音声信号が終了した旨の通知があった場合には、管理装置ＣＰＵ６１は、非純正オーディオ機器２０ａが接続されているかを判断する（ステップＳ３５）。そして、非純正オーディオ機器２０ａが接続されていることが確認できる場合又は接続されているか否かが認識できない場合（接続されているか否かが不明の場合）には、管理装置ＣＰＵ６１は、非純正オーディオ機器２０ａが接続されているものと判断して（ステップＳ３５；ＹＥＳ）、非純正オーディオ機器２０ａからの音声信号を選択するようにオーディオセレクタ６２を制御する（ステップＳ３６）。これにより、スピーカ７０から非純正オーディオ機器２０ａによる音声が出力される。
【００９２】
また、オーディオセレクタ６２によって純正機器１０からの音声信号が選択されていない場合（ステップＳ３２；ＮＯ）には、管理装置ＣＰＵ６１は、現在オーディオセレクタ６２によって選択されているのが非純正オーディオ機器２０ａからの音声信号であるかを判断する（ステップＳ３７）。そして、非純正オーディオ機器２０ａからの音声信号が選択されている場合（ステップＳ３７；ＹＥＳ）又は、ステップＳ３５において、非純正オーディオ機器２０ａが接続されていないことが確認できた場合（ステップＳ３５；ＮＯ）には、管理装置ＣＰＵ６１は、さらに、非純正オーディオ機器２０ｂが接続されているかを判断する（ステップＳ３８）。そして、非純正オーディオ機器２０ｂが接続されていることが確認できる場合又は接続されているか否かが認識できない場合（接続されているか否かが不明の場合）には、管理装置ＣＰＵ６１は、非純正オーディオ機器２０ｂが接続されているものと判断して（ステップＳ３８；ＹＥＳ）には、非純正オーディオ機器２０ｂからの音声信号を選択するようにオーディオセレクタ６２を制御する（ステップＳ３９）。これにより、スピーカ７０から非純正オーディオ機器２０ｂによる音声が出力される。
【００９３】
他方、オーディオセレクタ６２によって選択されているのが非純正オーディオ機器２０ａからの音声信号でない場合（ステップＳ３７；ＮＯ）又は非純正オーディオ機器２０ａからの音声信号が選択されているが、非純正オーディオ機器２０ｂが接続されていないことが確認できた場合（ステップＳ３８；ＮＯ）には、管理装置ＣＰＵ６１は、純正機器１０からの音声信号を選択するようにオーディオセレクタ６２を制御する（ステップＳ４０）。これにより、スピーカ７０から純正機器１０による音声が出力される。
【００９４】
更に、表示器８０の設定画面等において、その他の非純正機器５０のウェイクアップ時間やスリープ時間等の設定が行われると、リレー制御部６５は管理装置ＣＰＵ６１からの制御信号に従ってリレー４０を制御し、その他の非純正機器５０のＯＮ時間／ＯＦＦ時間を調整することにより、その他の非純正機器５０のウェイクアップタイマー機能やスリープタイマー機能を果たす。
【００９５】
以上のように、本実施形態における車載機器の管理システムによれば、純正機器１０に設けられた切替入力部１９、純正マルチディスプレイ１４ｂに表示される操作ボタン画面等から映像又は音声の出力信号のうち、いずれを出力させるかの切替指示を入力し、この切替指示に従って、純正側ＣＰＵ１４ｃが純正側ビデオセレクタ１７及び純正側オーディオセレクタ１８を、管理装置ＣＰＵ６１がオーディオセレクタ６２及びビデオセレクタ６４，６９をそれぞれ制御することにより、純正機器１０、非純正オーディオ機器２０ａ，２０ｂ及び非純正ビデオ機器３０ａ，３０ｂから出力される出力信号を一括して管理することができる。このため、純正機器１０のほかに、後から非純正機器を取り付けた場合であっても、ユーザがいずれの機器からの音声信号、映像信号を選択して出力させるかを簡易に選択、実行することが可能となる。
【００９６】
なお、本実施形態においては、映像出力処理において、ＧＵＩ制御部６７からの操作ボタン信号に基づく操作ボタン画面を表示できるのは、純正マルチディスプレイ１４ｂに映像を出力する場合には、ビデオセレクタ６９において操作ボタン信号が選択され、純正側ビデオセレクタ１７において外部入力信号が選択された場合であり、表示器８０に映像を出力する場合には、ビデオセレクタ６４において操作ボタン信号が選択された場合であるとしたが、純正機器１０の各構成部からの映像信号や非純正ビデオ機器３０ａ，３０ｂからの映像信号に基づく映像を表示させている場合でも、当該映像に重畳させて操作ボタン信号に基づく操作ボタン画面を表示させ、映像を見ながら操作ボタンの操作を行うことができるように構成してもよい。
【００９７】
なお、車両運転の安全性を確保するため、車両の走行中に運転者がモニタを注視することは道路交通法で禁じられており、また、同乗者がいない場合に、運転者が車両走行中に前部座席側のモニタにＤＶＤプレイヤーやテレビ（television）の映像等のような動画を表示させることは安全運転義務違反となる。
このため、本車載機器の管理システム1においては、以下のような設定及び制御が可能となっていることが好ましい。
【００９８】
すなわち、本実施形態においては、予め設定画面（ＧＵＩ制御部６７により生成される操作ボタン信号に基づく画面）において、純正マルチディスプレイ１４ｂ及び表示器８０の構成を設定することができるようになっている。以下において、例えば「表示器８０を後部座席側のモニタとして使用する」、すなわち「純正マルチディスプレイ１４ｂを前部座席側のモニタとして使用する」と設定した場合について説明する。
【００９９】
純正機器１０の純正側ＣＰＵ１４ｃは、車両側の走行速度を示す車速パルス信号やブレーキング動作を行ったことを示すパーキング信号等を検出するようになっており、純正側ＣＰＵ１４ｃは、車速パルス信号、パーキング信号を管理装置ＣＰＵ６１に送信するようになっている。これら車速パルス信号、パーキング信号により車両が走行中であるか停車中であるかといった走行状態を把握することができ、管理装置ＣＰＵ６１は、純正側ＣＰＵ１４ｃから送信されたこれらの信号に基づいて車両が走行中であるか否かを判断する。
【０１００】
そして、車両が走行中であり、「純正マルチディスプレイ１４ｂを前部座席側のモニタとして使用する」と設定されている場合には、管理装置ＣＰＵ６１は、非純正ビデオ機器３０ａ，３０ｂの映像信号を表示器８０には出力するが、純正マルチディスプレイ１４ｂには出力しないようにビデオセレクタ６４及びビデオセレクタ６９を制御する。
【０１０１】
なお、所定の映像信号を所定の表示手段（映像信号の信号出力部）から出力させないように制御する構成は特に限定されない。
例えば、ビデオセレクタ６４及びビデオセレクタ６９に接続先のない接点（図示せず）を設けておき、純正マルチディスプレイ１４ｂに非純正ビデオ機器３０ａ，３０ｂからの映像信号を出力させないようにするときには、ビデオセレクタ６９において当該接続先のない接点を選択する（接続先のない接点に切り替える）ように、管理装置ＣＰＵ６１がビデオセレクタ６９を制御する構成としてもよい。
また、例えば、管理装置ＣＰＵ６１とビデオセレクタ６４との間及び管理装置ＣＰＵ６１とビデオセレクタ６９との間にそれぞれ管理装置ＣＰＵ６１からのミュート信号を受けて動作するミュート回路（図示せず）を設けておき、純正マルチディスプレイ１４ｂに非純正ビデオ機器３０ａ，３０ｂからの映像信号を出力させないようにするときには、管理装置ＣＰＵ６１とビデオセレクタ６９との間に設けられたミュート回路に管理装置ＣＰＵ６１からミュート信号を送信する。ミュート回路が管理装置ＣＰＵ６１からのミュート信号を受けると映像信号を無信号化するミュート制御を行うように構成してもよい。
【０１０２】
なお、「純正マルチディスプレイ１４ｂを後部座席側のモニタとして使用する」、すなわち「表示器８０を前部座席側のモニタとして使用する」との設定が予めなされている場合には、上述のような各種の手法（構成）により、管理装置ＣＰＵ６１は、非純正ビデオ機器３０ａ，３０ｂの映像信号を純正マルチディスプレイ１４ｂには出力するが、表示器８０には出力しないようにビデオセレクタ６４及びビデオセレクタ６９を制御する。
【０１０３】
また、非純正ビデオ機器３０ａ，３０ｂからの映像信号に基づく映像であっても、ナビゲーション画面については前部座席側のモニタでも表示させることは禁止されていない。このように、前部座席側のモニタで表示可能なものと表示が禁止されているものとがあるため、非純正ビデオ機器３０が複数ある場合、このうち一部については上記のような前部座席側のモニタとして設定された表示手段（映像信号の信号出力部）からは映像信号を出力させないとの制御を行い、一部についてはこのような制御を行わないというように、ユーザ等が任意に設定できるようにしてもよい。
【０１０４】
また、ナビゲーション画面は、前部座席側のモニタでも表示させることができるが、車両の走行中に各種の操作を行うことは前方不注意による事故の原因となり得るため好ましくない。
このため、本車載機器の管理システム１において、非純正ビデオ機器３０ａ，３０ｂとしてナビゲーション装置が設けられている場合には、以下のような設定及び制御が可能となっていることが好ましい。
【０１０５】
すなわち、本実施形態においては、純正側ＣＰＵ１４ｃは、車速パルス信号、パーキング信号を管理装置ＣＰＵ６１に送信し、管理装置ＣＰＵ６１は、純正側ＣＰＵ１４ｃから送信されたこれらの信号を非純正ビデオ機器３０であるナビゲーション装置に送信するようになっている。そして、車速パルス信号、パーキング信号により把握される車両の走行状態が走行中である場合には、ナビゲーション画面を表示させる映像信号は前部座席側のモニタから出力可能とするが、ナビゲーション画面を操作する画面を表示させる映像信号は前部座席側のモニタから出力することができないように、管理装置ＣＰＵ６１がナビゲーション装置からの映像信号の出力を制御するようにする。
【０１０６】
このような構成とすることにより、ナビゲーション装置を非純正ビデオ機器３０として車両に後付けした場合でも、非純正ビデオ機器３０（ナビゲーション装置）に車速パルス信号、パーキング信号が入力されるように純正機器１０側と非純正ビデオ機器３０とを直接接続することなく、簡易な手法で車両走行中は前部座席側のモニタにナビゲーション画面は表示しても各種の操作を行うことはできないように安全性に配慮した画面表示を行うことができる。
【０１０７】
なお、本発明は、上記実施の形態に限定されることなく、本発明の趣旨を逸脱しない範囲において、種々の改良並びに設計の変更を行ってもよい。
【０１０８】
［第２の実施の形態］
以下、図８から図１４を参照しつつ、本発明に係る車載機器の管理システムの第２の実施形態について説明する。なお、第２の実施形態は、純正側ＣＰＵ１４ｃと管理装置ＣＰＵ６１との間の通信ができない場合である点で第１の実施形態と異なるものであり、以下においては、特に第１の実施形態と異なる点について説明する。
【０１０９】
図８は、本実施形態に係る車載機器の管理システムの全体構成を示すブロック図である。
【０１１０】
図８に示すように、本実施形態において、第１の実施形態と同様、車載機器の管理システム１は、純正機器１０、非純正オーディオ機器２０ａ，２０ｂ、非純正ビデオ機器３０ａ，３０ｂ、リレー４０、その他の非純正機器５０、管理装置６０、信号出力部としての機能を果たすスピーカ７０及び表示器８０、リモートコントローラ（図８において「リモコン」とする。）９０を備えて構成されている。
また、本実施形態においては、出力信号としての映像信号、音声信号の切り替えや映像信号の出力先の選択を行う入力部として、ビデオ切替入力部９１、オーディオ切替入力部９２、及びリモートコントローラ（図８において「リモコン」とする。）９３からの信号を受信するリモコン受信部９４を備えている。
【０１１１】
なお、本実施形態においては、第１の実施形態と異なり、制御データ変換部６６には純正側ＣＰＵ１４ｃからの指示信号が送信されず、純正側ＣＰＵ１４ｃからの指示信号が管理装置ＣＰＵ６１の送られない（純正側ＣＰＵ１４ｃと管理装置ＣＰＵ６１との間の通信ができない）構成となっている。
【０１１２】
ビデオ切替入力部９１は、例えば、ボタンやキー等で構成され、純正マルチディスプレイ１４ｂ又は後述する表示器８０に出力させる映像信号を切り替える切替指示等を入力する入力部である。ビデオ切替入力部９１を操作することにより切替指示が入力されると、当該切替指示の指示信号が制御データ変換部６６において管理装置６０に対応する指示信号に変換される。そして、制御データ変換部６６によって変換されたビデオ切替入力部９１からの指示信号は、管理装置ＣＰＵ６１に送信され、管理装置ＣＰＵ６１は、受信した指示信号に従って、非純正ビデオ機器３０ａ，３０ｂ、ＧＵＩ制御部６７又はその他の非純正機器５０の制御を行う。
【０１１３】
オーディオ切替入力部９２は、例えば、ボタンやキー等で構成され、スピーカ７０に出力させる音声信号を切り替える切替指示を入力する入力部である。オーディオ切替入力部９２を操作することにより切替指示が入力されると、当該切替指示の指示信号が制御データ変換部６６において管理装置６０に対応する指示信号に変換される。そして、制御データ変換部６６によって変換されたビデオ切替入力部９１からの指示信号は、管理装置ＣＰＵ６１に送信され、管理装置ＣＰＵ６１は、受信した指示信号に従って、非純正オーディオ機器２０ａ，２０ｂ又はその他の非純正機器５０の制御を行う。
【０１１４】
リモートコントローラ９３は、例えば、図示しない操作ボタンを備えており、この操作ボタンの押下によって、純正マルチディスプレイ１４ｂ又は後述する表示器８０に出力させる映像信号を切り替える切替指示や、スピーカ７０に出力させる音声信号を切り替える切替指示等の種々の指示入力を行うことが可能となっている入力部である。リモートコントローラ９３は、例えば図示しない赤外線通信部を備えており、リモコン受信部９４との間で赤外線通信を行うことにより、入力された指示信号を表示器８０に送信するようになっている。
【０１１５】
リモコン受信部９４は、例えば図示しない赤外線通信部を備えており、リモートコントローラ９３からの指示信号を受信することが可能となっている。
リモコン受信部９４によって受信されたリモートコントローラ９３からの指示信号は、制御データ変換部６６において管理装置６０に対応する指示信号に変換される。そして、制御データ変換部６６によって変換された指示信号は、管理装置ＣＰＵ６１に送信され、管理装置ＣＰＵ６１は、受信した指示信号に従って、非純正オーディオ機器２０ａ，２０ｂ、非純正ビデオ機器３０ａ，３０ｂ、ＧＵＩ制御部６７又はその他の非純正機器５０の制御を行う。
なお、リモートコントローラ９３とリモコン受信部９４との間の通信は、赤外線通信に限定されず、他の手法による通信を行うように構成してもよい。
【０１１６】
なお、ビデオ切替入力部９１及びオーディオ切替入力部９２及びリモートコントローラ９３は、切替入力部１９に換えて、又は切替入力部１９とともに、各種切替指示を入力する入力部として機能する。また、第１の実施形態と同様に、表示器８０や純正マルチディスプレイ１４ｂがタッチパネルを構成する場合には、表示器８０や純正マルチディスプレイ１４ｂも入力部として機能する。
【０１１７】
なお、その他の構成は、第１の実施形態に示したものとほぼ同様であるため、同一箇所には同一の符号を付して、その説明を省略する。
【０１１８】
次に、本実施形態に係る車載機器の管理システムの動作について説明する。
なお、以下において、映像信号を生成する機器及び音声信号を生成する機器は第１の実施形態で示した例と同じものとした。また、映像信号の切り替えの順番及び音声信号の切り替えの順番についても、第１の実施形態で示した例と同じとした。なお、映像信号及び音声信号を出力させる処理以外は第１の実施形態で示したものと同様であることはから、以下においてはその説明を省略する。
【０１１９】
まず、切替入力部１９の操作、表示器８０や純正マルチディスプレイ１４ｂの画面に構成されたタッチパネル等に表示された選択ボタン（操作ボタン）の押下、ビデオ切替入力部９１及びリモートコントローラ９３の操作、その他入力部による操作によって純正機器１０の各構成部及び非純正ビデオ機器３０ａ，３０ｂ等からの映像信号に基づく映像及びＧＵＩ制御部６７からの操作ボタン信号に基づく操作ボタン及び非純正ビデオ機器３０ａ，３０ｂからの映像信号に基づく映像の表示先として純正マルチディスプレイ１４ｂが選択された場合の映像出力処理について、図９、図１１及び図１２を参照しつつ説明する。
【０１２０】
まず、図９及び図１１を参照して、純正側ＣＰＵ１４ｃによる純正側ビデオセレクタ１７の切替動作について説明する。
ビデオ切替入力部９１、リモートコントローラ９３等の入力部から純正マルチディスプレイ１４ｂに表示させる映像を切り替える切替指示が入力された場合（ステップＳ４１）には、純正側ＣＰＵ１４ｃは、現在純正側ビデオセレクタ１７により選択されている映像信号がナビゲーションコンピュータ１１からの映像信号であるかを判断する（ステップＳ４２）。そして、ナビゲーションコンピュータ１１からの映像信号が選択されている場合（ステップＳ４２；ＹＥＳ）には、純正側ＣＰＵ１４ｃは、純正マルチディスプレイ１４ｂに出力する映像信号をエアコンコンピュータ１２からの映像信号に切り替えるように純正側ビデオセレクタ１７を制御する（ステップＳ４３）。これにより、純正側ビデオセレクタ１７がエアコンコンピュータ１２からの映像信号を選択し、純正マルチディスプレイ１４ｂに表示される画面がエアコンコンピュータ１２からの映像信号に基づくエアコン画面に設定される。
【０１２１】
他方、現在純正側ビデオセレクタ１７で選択されているのがナビゲーションの映像信号でない場合（ステップＳ４２；ＮＯ）には、純正側ＣＰＵ１４ｃは、現在純正側ビデオセレクタ１７で選択されている映像信号がエアコンコンピュータ１２からの映像信号であるかを判断する（ステップＳ４４）。そして、エアコンコンピュータ１２からの映像信号が選択されている場合（ステップＳ４４；ＹＥＳ）には、純正側ＣＰＵ１４ｃは、純正マルチディスプレイ１４ｂに出力する映像信号を、ビデオセレクタ６９から外部入力端子を介して入力された外部入力信号に切り替えるように純正側ビデオセレクタ１７を制御する。これにより、純正側ビデオセレクタ１７が外部入力信号を選択し（ステップＳ４５）、この時点でビデオセレクタ６９により選択されている映像信号に基づく映像が純正マルチディスプレイ１４ｂに表示される映像として設定される。
【０１２２】
現在純正側ビデオセレクタ１７で選択されている映像信号がナビゲーションの映像信号でもエアコンの映像信号でもない場合（ステップＳ４４；ＮＯ）には、純正側ＣＰＵ１４ｃは、純正マルチディスプレイ１４ｂに出力する映像信号を、外部入力信号から純正機器１０のナビゲーション画面の映像信号に切り替えるように純正側ビデオセレクタ１７を制御し（ステップＳ４６）、処理を終了する。
【０１２３】
図９及び図１２を参照して、管理装置ＣＰＵ６１によるビデオセレクタ６９の切替動作について説明する。
まず、ビデオ切替入力部９１又はリモートコントローラ９３から管理装置ＣＰＵ６１に対して映像信号の切り替えを指示する映像切替指示が送信されると（ステップＳ５１）、管理装置ＣＰＵ６１は、現在ビデオセレクタ６９によって選択されているのがＧＵＩ制御部６７からの操作ボタン信号であるかを判断する（ステップＳ５２）。そして、ビデオセレクタ６９によって操作ボタン信号が選択されている場合（ステップＳ５２；ＹＥＳ）には、管理装置ＣＰＵ６１は、さらに、非純正ビデオ機器３０ａが接続されているかを映像検出部６８ａからの検出信号により判断する（ステップＳ５３）。そして、映像検出部６８ａからの検出信号により非純正ビデオ機器３０ａが接続されていることが確認できる場合又は映像検出部６８ａによって非純正ビデオ機器３０ａの検出ができない場合（接続されているか否かが不明の場合）には、管理装置ＣＰＵ６１は、非純正ビデオ機器３０ａが接続されていると判断して（ステップＳ５３；ＹＥＳ）、非純正ビデオ機器３０ａの映像信号を選択するようにビデオセレクタ６９に指示し、ビデオセレクタ６９が非純正ビデオ機器３０ａの映像信号を選択にする（ステップＳ５４）。これにより非純正ビデオ機器３０ａの映像信号が純正側ビデオセレクタ１７に入力され、純正マルチディスプレイ１４ｂに非純正ビデオ機器３０ａの映像が表示される。
【０１２４】
他方、ビデオセレクタ６９によって操作ボタン信号が選択されていない場合（ステップＳ５２；ＮＯ）には、管理装置ＣＰＵ６１は、現在ビデオセレクタ６９によって選択されているのが非純正ビデオ機器３０ａの映像信号であるかを判断する（ステップＳ５５）。そして、ビデオセレクタ６９によって非純正ビデオ機器３０ａの映像信号が選択されていない場合には（ステップＳ５５；ＮＯ）、管理装置ＣＰＵ６１は、操作ボタン信号を選択するようにビデオセレクタ６９を制御して（ステップＳ５６）、処理を終了する。これにより操作ボタン信号が純正側ビデオセレクタ１７に入力され、純正マルチディスプレイ１４ｂに操作ボタン画面が表示される。
【０１２５】
また、現在ビデオセレクタ６９によって非純正ビデオ機器３０ａの映像信号が選択されている場合（ステップＳ５５；ＹＥＳ）又は現在操作ボタン信号が選択されているが、映像検出部６８ａによる検出の結果非純正ビデオ機器３０ａが接続されていないと確認できた場合（ステップＳ５３；ＮＯ）には、管理装置ＣＰＵ６１は、さらに、非純正ビデオ機器３０ｂが接続されているかを映像検出部６８ｂからの検出信号により判断する（ステップＳ５７）。そして、映像検出部６８ｂからの検出信号により非純正ビデオ機器３０ｂが接続されていることが確認できる場合又は映像検出部６８ｂによって非純正ビデオ機器３０ｂの検出ができない場合（接続されているか否かが不明の場合）には、管理装置ＣＰＵ６１は、非純正ビデオ機器３０ｂが接続されていると判断して（ステップＳ５７；ＹＥＳ）、非純正ビデオ機器３０ｂの映像信号を選択するようにビデオセレクタ６９に指示する（ステップＳ５８）。これにより非純正ビデオ機器３０ｂの映像信号が純正側ビデオセレクタ１７に入力され、純正マルチディスプレイ１４ｂに非純正ビデオ機器３０ｂの映像が表示される。また、映像検出部６８ｂによる検出の結果非純正ビデオ機器３０ｂが接続されていないと確認できた場合（ステップＳ５７；ＮＯ）には、管理装置ＣＰＵ６１は、ＧＵＩ制御部６７の操作ボタン信号を選択するようにビデオセレクタ６９を制御して（ステップＳ５６）、処理を終了する。これにより操作ボタン信号が純正側ビデオセレクタ１７に入力され、純正マルチディスプレイ１４ｂに操作ボタン画面が表示される。
【０１２６】
次に、純正機器１０の各部及び非純正ビデオ機器３０ａ，３０ｂ等からの映像信号に基づく映像及びＧＵＩ制御部６７からの操作ボタン信号に基づく操作ボタン及び非純正ビデオ機器３０ａ，３０ｂからの映像信号に基づく映像の表示先として表示器８０が選択された場合について説明する。
【０１２７】
この場合には、純正側ＣＰＵ１４ｃの制御に従って、純正機器１０のいずれかの構成部で生成された映像信号（例えばナビゲーションの映像信号、エアコンの映像信号）のうちのいずれかが純正側ビデオセレクタ１７により選択される。そして、純正側ビデオセレクタ１７で選択された純正機器１０の映像信号、非純正ビデオ機器３０ａ，３０ｂの映像信号、ＧＵＩ制御部６７の操作ボタン信号が選択可能にビデオセレクタ６４に入力される。管理装置ＣＰＵ６１は、ビデオセレクタ６４に対して適宜映像信号の切替指示を送信し、ビデオセレクタ６４は管理装置ＣＰＵ６１の制御に従って映像信号の切り替えを行い、選択した映像信号を表示器８０に出力する。
【０１２８】
なお、純正側ビデオセレクタ１７及びビデオセレクタ６４において、いずれの映像信号を選択するかは、上記した純正マルチディスプレイ１４ｂに映像信号を出力する場合と同様、切替入力部等の入力部からの切替指示に応じて決定される。表示器８０に映像信号を出力する場合についてのその他の処理は、純正マルチディスプレイ１４ｂに映像信号を出力する場合とほぼ同様であるので、その説明を省略する。
【０１２９】
次に、図１０、図１３及び図１４を参照しつつ、純正機器１０の各構成部及び非純正オーディオ機器２０ａ，２０ｂ等からの音声信号に基づく音声をスピーカ７０から出力させる音声出力処理について説明する。
【０１３０】
まず、図１０及び図１３を参照して、純正側ＣＰＵ１４ｃによる純正側オーディオセレクタ１８の切替動作について説明する。
【０１３１】
まず、スピーカ７０から出力させる音声信号を切り替える切替指示がオーディオ切替入力部９２、リモートコントローラ９３等の入力部から入力されると（ステップＳ６１）、純正側ＣＰＵ１４ｃは、現在純正側オーディオセレクタ１８で選択されているのがナビゲーションコンピュータ１１からの音声信号であるかを判断する（ステップＳ６２）。
【０１３２】
ナビゲーションコンピュータ１１からの音声信号が選択されている場合（ステップＳ６２；ＹＥＳ）には、純正側ＣＰＵ１４ｃは、ＣＤプレイヤー１５からの音声信号を選択するように純正側オーディオセレクタ１８を制御する（ステップＳ６３）。これにより、オーディオセレクタ６２に出力される音声信号がＣＤプレイヤー１５からの音声信号となり、オーディオセレクタ６２において純正機器１０が選択されたときにはＣＤプレイヤー１５からの音声がスピーカ７０から出力される。
【０１３３】
他方、純正側オーディオセレクタ１８でナビゲーションコンピュータ１１からの音声信号が選択されていない場合（ステップＳ６２；ＮＯ）には、純正側ＣＰＵ１４ｃは、さらに、ＣＤプレイヤー１５からの音声信号が選択されているかを判断する（ステップＳ６４３）。ＣＤプレイヤー１５からの音声信号が選択されている場合（ステップＳ６４；ＹＥＳ）には、純正側ＣＰＵ１４ｃは、ラジオユニット１６からの音声信号を選択するように純正側オーディオセレクタ１８を制御する（ステップＳ６５）。これにより、オーディオセレクタ６２に出力される音声信号がラジオユニット１６からの音声信号となり、オーディオセレクタ６２において純正機器１０が選択されたときにはラジオユニット１６からの音声がスピーカ７０から出力される。
【０１３４】
現在選択されているものがナビゲーションコンピュータ１１からの音声信号でもＣＤプレイヤー１５からの音声信号でもない場合（ステップＳ６４；ＮＯ）には、純正側ＣＰＵ１４ｃは、現在ラジオユニット１６からの音声信号が選択されていると判断して、もとのナビゲーションコンピュータ１１からの音声信号を選択するように純正側オーディオセレクタ１８を制御し（ステップＳ６６）、処理を終了する。
【０１３５】
図１０及び図１４を参照して、管理装置ＣＰＵ６１によるオーディオセレクタ６２の切替動作について説明する。まず、オーディオ切替入力部９２又はリモートコントローラ９３から、音声切り替えを指示する音声切替指示が送信されると（ステップＳ７１）、管理装置ＣＰＵ６１は、現在オーディオセレクタ６２によって選択されているのが純正機器１０からの音声信号であるかを判断する（ステップＳ７２）。そして、オーディオセレクタ６２によって純正機器１０からの音声信号が選択されている場合（ステップＳ７２；ＹＥＳ）には、管理装置ＣＰＵ６１は、非純正オーディオ機器２０ａが接続されているかを判断する（ステップＳ７３）。そして、非純正オーディオ機器２０ａが接続されていることが確認できる場合又は接続されているか否かが認識できない場合（接続されているか否かが不明の場合）には、管理装置ＣＰＵ６１は、非純正オーディオ機器２０ａが接続されているものと判断して（ステップＳ７３；ＹＥＳ）、非純正オーディオ機器２０ａからの音声信号を選択するようにオーディオセレクタ６２を制御する（ステップＳ７４）。これにより、スピーカ７０から非純正オーディオ機器２０ａによる音声が出力される。
【０１３６】
また、オーディオセレクタ６２によって純正機器１０からの音声信号が選択されていない場合（ステップＳ７２；ＮＯ）には、管理装置ＣＰＵ６１は、現在オーディオセレクタ６２によって選択されているのが非純正オーディオ機器２０ａからの音声信号であるかを判断する（ステップＳ７５）。そして、非純正オーディオ機器２０ａからの音声信号が選択されている場合（ステップＳ７５；ＹＥＳ）又は、ステップＳ３５において、非純正オーディオ機器２０ａが接続されていないことが確認できた場合（ステップＳ７３；ＮＯ）には、管理装置ＣＰＵ６１は、さらに、非純正オーディオ機器２０ｂが接続されているかを判断する（ステップＳ７６）。そして、非純正オーディオ機器２０ｂが接続されていることが確認できる場合又は接続されているか否かが認識できない場合（接続されているか否かが不明の場合）には、管理装置ＣＰＵ６１は、非純正オーディオ機器２０ｂが接続されているものと判断して（ステップＳ７６；ＹＥＳ）には、非純正オーディオ機器２０ｂからの音声信号を選択するようにオーディオセレクタ６２を制御する（ステップＳ７７）。これにより、スピーカ７０から非純正オーディオ機器２０ｂによる音声が出力される。
【０１３７】
他方、オーディオセレクタ６２によって選択されているのが非純正オーディオ機器２０ａからの音声信号でない場合（ステップＳ７５；ＮＯ）又は非純正オーディオ機器２０ａからの音声信号が選択されているが、非純正オーディオ機器２０ｂが接続されていないことが確認できた場合（ステップＳ７６；ＮＯ）には、管理装置ＣＰＵ６１は、純正機器１０からの音声信号を選択するようにオーディオセレクタ６２を制御する（ステップＳ７８）。これにより、この時点で純正機器１０の純正側オーディオセレクタ１８によって選択されている音声信号に基づく音声がスピーカ７０から出力される。
【０１３８】
以上のように、本実施形態における車載機器の管理システムによれば、純正機器１０で生成された出力信号を出力させるか、非純正機器で生成された出力信号を出力させるかを純正側ＣＰＵ１４ｃ又は管理装置ＣＰＵ６１で制御するとともに、非純正機器については、ビデオ切替入力部９１、オーディオ切替入力部９２又はリモートコントローラ９３等の入力部から、いずれの機器で生成された出力信号を出力させるかを順次切り替えることができるようにすることにより、純正側ＣＰＵ１４ｃと管理装置ＣＰＵ６１との間で通信ができない場合であっても、映像信号及び音声信号を順番に切り替えることができる。純正機器１０、非純正オーディオ機器２０ａ，２０ｂ及び非純正ビデオ機器３０ａ，３０ｂから出力される出力信号を一括して管理することができ、純正機器１０のほかに、後から非純正機器を取り付けた場合であっても、ユーザがいずれの機器からの音声信号、映像信号を選択して出力させるかを簡易に選択、実行することが可能となる。
【０１３９】
なお、第１の実施形態で述べたと同様に、車両運転の安全性を確保するため、本車載機器の管理システム１においては、以下のような設定及び制御が可能となっていることが好ましい。
【０１４０】
すなわち、本実施形態においては、予め設定画面（ＧＵＩ制御部６７により生成される操作ボタン信号に基づく画面）において、純正マルチディスプレイ１４ｂ及び表示器８０の構成を設定することができるようになっている。以下において、例えば「表示器８０を後部座席側のモニタとして使用する」、すなわち「純正マルチディスプレイ１４ｂを前部座席側のモニタとして使用する」と設定した場合について説明する。
【０１４１】
純正機器１０の純正側ＣＰＵ１４ｃは、車両側の走行速度を示す車速パルス信号やブレーキング動作を行ったことを示すパーキング信号等を検出するようになっており、この車速パルス信号、パーキング信号が制御データ変換部６６に入力されるようになっている（図８参照）。さらに制御データ変換部６６に入力されたこれらの信号は、管理装置ＣＰＵ６１に送信される。これら車速パルス信号、パーキング信号により車両が走行中であるか停車中であるかといった走行状態を把握することができ、管理装置ＣＰＵ６１は、これらの信号に基づいて車両が走行中であるか否かを判断する。
【０１４２】
そして、車両が走行中であり、「純正マルチディスプレイ１４ｂを前部座席側のモニタとして使用する」と設定されている場合には、管理装置ＣＰＵ６１は、非純正ビデオ機器３０ａ，３０ｂの映像信号を表示器８０には出力するが、純正マルチディスプレイ１４ｂには出力しないようにビデオセレクタ６４及びビデオセレクタ６９を制御する。
【０１４３】
なお、所定の映像信号を所定の表示手段（映像信号の信号出力部）から出力させないように制御する構成は特に限定されない点は、第１の実施形態で説明したのと同様である。
【０１４４】
なお、「純正マルチディスプレイ１４ｂを後部座席側のモニタとして使用する」、すなわち「表示器８０を前部座席側のモニタとして使用する」との設定が予めなされている場合には、第１の実施形態で説明したような各種の手法（構成）により、管理装置ＣＰＵ６１は、非純正ビデオ機器３０ａ，３０ｂの映像信号を純正マルチディスプレイ１４ｂには出力するが、表示器８０には出力しないようにビデオセレクタ６４及びビデオセレクタ６９を制御する。
【０１４５】
また、非純正ビデオ機器３０ａ，３０ｂからの映像信号に基づく映像であっても、ナビゲーション画面については前部座席側のモニタでも表示させることは禁止されていない。このように、前部座席側のモニタで表示可能なものと表示が禁止されているものとがあるため、非純正ビデオ機器３０が複数ある場合、このうち一部については上記のような前部座席側のモニタとして設定された表示手段（映像信号の信号出力部）からは映像信号を出力させないとの制御を行い、一部についてはこのような制御を行わないというように、ユーザ等が任意に設定できるようにしてもよい。
【０１４６】
また、ナビゲーション画面において車両の走行中に各種の操作を行うことは前方不注意による事故の原因となり得るため好ましくないため、本車載機器の管理システム１において、非純正ビデオ機器３０ａ，３０ｂとしてナビゲーション装置が設けられている場合には、以下のような設定及び制御が可能となっていることが好ましい。
【０１４７】
すなわち、本実施形態においては、前述のように、車速パルス信号、パーキング信号が制御データ変換部６６に入力され、これらの信号は制御データ変換部６６から管理装置ＣＰＵ６１に送信される。さらに管理装置ＣＰＵ６１は、制御データ変換部６６から送信されたこれらの信号を非純正ビデオ機器３０であるナビゲーション装置に送信するようになっている。そして、車速パルス信号、パーキング信号により把握される車両の走行状態が走行中である場合には、ナビゲーション画面を表示させる映像信号は前部座席側のモニタから出力可能とするが、ナビゲーション画面を操作する画面を表示させる映像信号は前部座席側のモニタから出力することができないように、管理装置ＣＰＵ６１がナビゲーション装置からの映像信号の出力を制御するようにする。
【０１４８】
このような構成とすることにより、ナビゲーション装置を非純正ビデオ機器３０として車両に後付けした場合であって、純正側ＣＰＵ１４ｃと管理装置ＣＰＵ６１との間で通信ができない場合でも、非純正ビデオ機器３０（ナビゲーション装置）に車速パルス信号、パーキング信号が入力されるように純正機器１０側と非純正ビデオ機器３０とを直接接続することなく、簡易な手法で車両走行中は前部座席側のモニタにナビゲーション画面は表示しても各種の操作を行うことはできないように安全性に配慮した画面表示を行うことができる。
【０１４９】
なお、本発明が上記実施の形態に限らず適宜変更可能であるのは第１の実施形態と同様である。
【０１５０】
以上詳細に説明したように、本発明の車載機器の管理システムによれば、車両内で純正機器に加えて一つ又は複数の非純正機器を後付けして使用する場合に、これらの純正機器及び各非純正機器を集中管理することが可能となる。
【図面の簡単な説明】
【０１５１】
【図１】本発明に係る車載機器の管理システムの第１実施形態の全体構成を示すブロック図である。
【図２】図１に示す車載機器の管理システムにおける映像信号の切り替えについて説明する説明図である。
【図３】図１に示す車載機器の管理システムにおける音声信号の切り替えについて説明する説明図である。
【図４】図１に示す車載機器の管理システムにおける映像信号の切替処理を示すフローチャートである。
【図５】図１に示す車載機器の管理システムにおける映像信号の切替処理を示すフローチャートである。
【図６】図１に示す車載機器の管理システムにおける音声信号の切替処理を示すフローチャートである。
【図７】図１に示す車載機器の管理システムにおける音声信号の切替処理を示すフローチャートである。
【図８】本発明に係る車載機器の管理システムの第２実施形態の全体構成を示すブロック図である。
【図９】図８に示す車載機器の管理システムにおける映像信号の切り替えについて説明する説明図である。
【図１０】図８に示す車載機器の管理システムにおける音声信号の切り替えについて説明する説明図である。
【図１１】図８に示す車載機器の管理システムにおける映像信号の切替処理を示すフローチャートである。
【図１２】図８に示す車載機器の管理システムにおける映像信号の切替処理を示すフローチャートである。
【図１３】図８に示す車載機器の管理システムにおける音声信号の切替処理を示すフローチャートである。
【図１４】図８に示す車載機器の管理システムにおける音声信号の切替処理を示すフローチャートである。
【図１５】従来の車載機器の管理システムの全体構成を示すブロック図である。
【符号の説明】
【０１５２】
１  車載機器の管理システム
１０  純正機器
１１  ナビゲーションコンピュータ
１２  エアコンディショニングコンピュータ
１３  その他コンピュータ
１４  純正ユニット
１４ａ  純正ヘッドユニット
１４ｂ  純正マルチディスプレイ
１４ｃ  純正側ＣＰＵ
１５  ＣＤプレイヤー
１６  ラジオユニット
１７  純正側ビデオセレクタ
１８  純正側オーディオセレクタ
１９  切替入力部
２０ａ，２０ｂ  非純正オーディオ機器
３０ａ，３０ｂ  非純正ビデオ機器
４０  リレー
５０  その他の非純正機器
６０  管理装置
６１  管理装置ＣＰＵ
６２  オーディオセレクタ
６３  アンプ
６４  ビデオセレクタ
６５  リレー制御部
６６  制御データ変換部
６７  ＧＵＩ制御部
６８ａ，６８ｂ  映像検出部
７０  スピーカ
８０  表示器
９０  リモートコントローラ
９１  ビデオ切替入力部
９２  オーディオ切替入力部
９３  リモートコントローラ
９４  リモコン受信部
【図１】
2008162423.tif 000003
【図２】
2008162423.tif 000004
【図３】
2008162423.tif 000005
【図４】
2008162423.tif 000006
【図５】
2008162423.tif 000007
【図６】
2008162423.tif 000008
【図７】
2008162423.tif 000009
【図８】
2008162423.tif 000010
【図９】
2008162423.tif 000011
【図１０】
2008162423.tif 000012
【図１１】
2008162423.tif 000013
【図１２】
2008162423.tif 000014
【図１３】
2008162423.tif 000015
【図１４】
2008162423.tif 000016
【図１５】
2008162423.tif 000017